(57)【特許請求の範囲】
【請求項１】
計量皿を本体の上部に有し、さらに、計量結果を表示する表示器を前記本体の正面に有し、前記計量皿の端部が直方体形状の本体の四側面を覆うように延設された秤において、
延設された前記端部の一部であり、前記正面を覆い、かつ、透光性部材からなる正面の延設部と、
延設された前記端部の一部であり、前記正面の左右に隣接する面を覆い、かつ、前記正面の延設部と隙間なく形成された左右の延設部と、
延設された前記端部の一部であり、前記本体の背面に設けられた店員側の延設部と、
前記本体から左右に向かってそれぞれ飛び出し、更に屈折して先端部が上方に向かって立ち上がったことにより前記左右の延設部よりも側方に突出し、かつ、前記本体の底部の設置面から空間を設けて前記正面の左右に隣接する面に沿って延びた左右の突出部と、
前記店員側の延設部にその左右部と上部を残すように設けられた切り欠き部と、
店員用表示器と操作キーが設けられ、前記本体から前記切り欠き部を経て前記店員側の延設部より外側に突出する操作部と、
を備えることを特徴とする秤。
【発明の詳細な説明】
【技術分野】
【０００１】
本発明は計量皿上に載置された物体の重量を計量する秤に関する。
【背景技術】
【０００２】
例えば特許文献１に開示されているように、通常の秤は、計量する物体を載せる平板状の計量皿が本体の上部に設けられた構成を有している。
また、このような構成の秤は本体と計量皿との間の隙間にゴミ等が入り込んでしまうことがあるため、これを改良した秤として、計量皿を平板状ではなく本体の側面も覆うような形状とした秤が特許文献２に開示されている。
【特許文献１】特開昭６２−２６５５３１号公報
【特許文献２】実開平５−１４８５４号公報
【発明の開示】
【発明が解決しようとする課題】
【０００３】
しかしながら、特許文献２に開示された秤の場合、本体の側面が計量皿の一部によって覆われているため、計量結果を表示する表示器を本体と一体化することが不可能であるという問題がある。そして、表示器を設けるには、例えば、表示器を本体とは別体の構成とする必要があるが、それでは表示器を含めた全体としての秤が大型になってしまう。また、表示器を本体の上方に配置することも考えられるが、そのような秤の場合、店舗等での店員と客との対面性が表示器により損なわれてしまう。
【０００４】
本発明は上記の点に鑑みてなされたものであり、その目的は、本体と計量皿との間の隙間にゴミ等が入り込んでしまうことを防止可能であって、店員と客との対面性が損なわれることのない秤を提供することにある。
【課題を解決するための手段】
【０００５】
本発明は上記の課題を解決するためになされたものであり、計量皿を本体の上部に有し、さらに、計量結果を表示する表示器を前記本体の正面に有し、前記計量皿の端部が直方体形状の本体の四側面を覆うように延設された秤において、延設された前記端部の一部であり、前記正面を覆い、かつ、透光性部材からなる正面の延設部と、延設された前記端部の一部であり、前記正面の左右に隣接する面を覆い、かつ、前記正面の延設部と隙間なく形成された左右の延設部と、延設された前記端部の一部であり、前記本体の背面に設けられた店員側の延設部と、前記本体から左右に向かってそれぞれ飛び出し、更に屈折して先端部が上方に向かって立ち上がったことにより前記左右の延設部よりも側方に突出し、かつ、前記本体の底部の設置面から空間を設けて前記正面の左右に隣接する面に沿って延びた左右の突出部と、前記店員側の延設部にその左右部と上部を残すように設けられた切り欠き部と、店員用表示器と操作キーが設けられ、前記本体から前記切り欠き部を経て前記店員側の延設部より外側に突出する操作部と、を備えることを特徴とする。
【０００６】
この構成によれば、計量皿の端部が本体の側面を覆うように延設されているので、本体と計量皿との間の隙間にゴミ等が入り込んでしまうことを防止することができる。また、計量皿の延設部分に透光性部材で形成された箇所を設けたので、その箇所の本体側面に表示器を配置して、表示器と本体とを一体の構成とすることができる。これにより、店員と客との対面性を確保することができる。
【発明の効果】
【００１１】
本発明による秤は、本体と計量皿との間の隙間にゴミ等が入り込んでしまうことを防止することができ、また、表示器と本体とを一体に構成することができるので、表示器を含んだ秤全体を小型化することが可能であり、店舗等で使用される場合に店員と客との対面性を確保することが可能である。
【発明を実施するための最良の形態】
【００１２】
以下、図面を参照しながら本発明の実施形態について詳しく説明する。
図１は、本発明の一実施形態による秤の外観を示す斜視図である。図１において、秤１の本体１０には、その上部に計量皿２０が取り付けられている。計量皿２０は、本体１０の上面と対面している平板状部分２０Ａと、この平板状部分２０Ａの周辺部（端部）を本体１０の側面１０Ａを覆うように延設してなる延設部分２０Ｂとからなる。計量皿２０の平板状部分２０Ａは、計量を行う際に重量を計量する物体を載せる部位である。また延設部分２０Ｂは、平板状部分２０Ａに対してほぼ直角な平面で構成されている。ここで、計量皿２０は、後述する皿受け支持台１４に付設された４つの支持脚１５により、平板状部分２０Ａの下面が本体１０の上面から浮いた状態で支持されている。計量皿２０の延設部分２０Ｂは、この両者間の隙間よりも下方にまで延びており、秤１の周囲から飛散してくるゴミ等が当該隙間に入り込んでしまうのを防ぐ役割を果たす。
【００１３】
本体１０は直方体状の形状を有しており、その側面１０Ａのうち１つの側面（この面を本体１０の正面とする）には、計量結果を表示する表示器１１が備えられている。この表示器１１と対面している計量皿２０の延設部分２０Ｂは、当該延設部分を通して表示器１１の表示内容を視認することができるように、透光性を有する部材により構成されている。図１の秤１では、デザイン上の観点から、計量皿２０の延設部分２０Ｂのうち表示器１１と対面している面のみと平板状部分２０Ａとをともに同じ透光性部材で一体的に形成し、延設部分２０Ｂの他の面を非透光性の部材で形成している。但し、計量皿２０の全体（平板状部分２０Ａ及び延設部分２０Ｂの全て）を透光性部材で形成してもよい。また、表示器１１と対面している延設部分２０Ｂの面において、その全面を透光性部材としてもよいし、当該面のうち表示器１１の大きさ・形状とほぼ同一の一部領域（表示器１１の表示内容を視認するのに十分な大きさと形状を持つ部分）のみを透光性部材としてもよい。
【００１４】
表示器１１は、ＬＥＤ（発光ダイオード）や蛍光表示管や液晶ディスプレイ等を用いた発光型の表示デバイスであり、例えば７セグメント表示やドット表示によって計量結果の数字をその表面に発光して表示させる。したがって、上記した計量皿２０の延設部分２０Ｂをなす透光性部材としては、表示器１１に発光して表示された内容が十分な明るさで視認できるような光の透過率を持った材質のものを使用する。この条件を満たせば、表示器１１と対面する延設部分２０Ｂは、無色透明であってもよいし、着色されていてもよい。
【００１５】
このように、表示器１１と対面する箇所の計量皿２０の延設部分２０Ｂが透光性を有するので、延設部分２０Ｂの存在により本体１０と計量皿２０との隙間にゴミ等が入り込まず、且つ、延設部分２０Ｂの内側の本体１０と一体に設けた表示器１１の表示内容を視認することができる。
【００１６】
本体１０の正面及び背面を除いた側面１０Ａには、計量皿２０の延設部分２０Ｂの先端部（最下部）よりも下の箇所に（自動車の）バンパー状の形状を有した突出部１２が設けられている。この突出部１２は、側面１０Ａの幅と同程度の幅を有するとともに、本体１０から見て延設部分２０Ｂよりも側方（本体１０から離れる方向）に向かって飛び出し、更に屈曲してその先端部が上方に向かって立ち上がっている。当該立ち上がった部分が延設部分２０Ｂの外側となる位置関係になっているため、側方から何か物を近付けた際に、その物は計量皿２０（の延設部分２０Ｂ）に触れる前に先ず突出部１２に当たることになる。これにより、秤１に横から物がぶつかった場合でも、計量皿２０にその物がぶつからないので、誤計量となってしまうことを避けることができる。なお、図１の秤１では本体１０の正面及び背面を除いた側面１０Ａにのみ突出部１２を設けているが、本体１０の正面にも同様の突出部を設けてもよい。
【００１７】
図２は、秤１を表示器１１が設けられた正面と反対の背面側から見た外観を示す斜視図である。本体１０の背面には、操作部１３が計量皿２０の延設部分２０Ｂより外側に飛び出した形で設けられている。そのため、この背面における延設部分２０Ｂが操作部１３と干渉しない（ぶつからない）ように、延設部分２０Ｂには操作部１３の外形よりもやや大きな形状の切り欠き２０Ｃが形成されている。また、切り欠き２０Ｃの最上部２０Ｄは、本体１０の上面と計量皿２０の平板状部分２０Ａの下面との間の隙間の位置よりも下方に位置している。そのため、この切り欠き２０Ｃの部分からゴミ等が当該隙間に入り込んでしまうことがなく、更に、操作部１３が本体１０に備わっているので秤全体としてコンパクトな構成となる。
【００１８】
操作部１３は、操作キー１３Ａと表示ディスプレイ１３Ｂとを有している。操作キー１３Ａは秤１に対する各種操作及び数値入力等を行うためのものであり、表示ディスプレイ１３Ｂは操作キー１３Ａからの入力に対する応答や秤１の動作状態や計量結果等を表示するものである。操作キー１３Ａと表示ディスプレイ１３Ｂを両方の機能を備えたタッチパネルとして構成してもよい。操作部１３は、その操作がし易いように、その設置角度が可変となっている（図２では操作部１３は斜め上方に向けられている）。なお、本実施形態の秤１が店舗等で使用される際には、正面に設けられた表示器１１が客の側に向けられ、背面に設けられた操作部１３がその操作を行う店員の側に向けられて、秤１を設置するものとする。
【００１９】
図３は、秤１から計量皿２０を取り外した状態を示す本体１０のみの外観図である。本体１０の上面には、本体１０の内部の皿受け支持台１４に付設された４つの支持脚１５を貫通させるための貫通穴が開けられており、これら貫通穴から上方に飛び出した４つの支持脚に平板状部分２０Ａの底面を接触させた状態で、計量皿２０が本体１０に取り付けられる。
【００２０】
図４は、本体１０の内部構成を示す斜視図である。ロードセル１７は、計量対象物の荷重による起歪体の変形を歪みゲージで検出して、歪みゲージから計量対象物の重量に応じた信号を出力する装置であり、本体ケース１６にその長手方向の一方の端Ｐが固定されている。ロードセル１７の他方の端Ｑには、固定用治具１８が取り付けられており、この固定用治具１８を介して皿受け支持台１４がロードセル１７に取り付けられている。皿受け支持台１４は、方形の中央部から４方向にそれぞれ腕が伸びた形状を有し、その各腕の先端にそれぞれ支持脚１５が付設されている。上記したようにこの４つの支持脚１５の上に計量皿２０が載せられ、計量皿２０上の計量対象物の荷重が皿受け支持台１４と固定用治具１８を介してロードセル１７の端部Ｑにかかることによって、ロードセル１７の起歪体が変形する。この時の歪みゲージの出力を図示しない演算ユニットで演算することで、計量対象物の重量が求められる。求められた計量結果は、図４に図示を省略した表示器１１や操作部１３の表示ディスプレイ１３Ｂに表示される。
【００２１】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、計量皿２０の平板状部分２０Ａと延設部分２０Ｂのうち、表示器１１と対面する側面のみを透光性部材で形成してもよい。
また、延設部分２０Ｂを秤１の正面、つまり表示器１１に対面する側面のみに設けてもよい。正面以外の側面にも延設部分２０Ｂを設けた場合にはより確実に計量皿と本体との隙間からゴミ等が入ることを防止できるが、正面のみに透光性部材の延設部分２０Ｂを設けた場合でも、表示器を本体に備えることができるので対面性を損なうことなくコンパクトな秤とすることができ、また、少なくとも客と対面している側の側面において計量皿と本体との隙間は延設部分２０Ｂで覆われているので、客と店員とが商品等をやり取りする際にゴミ等が入り難くなる。
また、延設部分２０Ｂを操作部１３が設けられている側面には設けないようにしてもよい。操作部１３が設けられている側面は、操作部１３があるのでそもそもゴミ等が入り難く、その他の側面にのみ延設部分２０Ｂを設ければゴミ等の侵入防止には十分な場合もあるからである。
【図面の簡単な説明】
【００２２】
【図１】本発明の一実施形態による秤の外観を示す斜視図である。
【図２】図１の秤を表示器が設けられた正面と反対の背面側から見た外観を示す斜視図である。
【図３】秤から計量皿を取り外した状態を示す本体のみの外観図である。
【図４】本体の内部構成を示す斜視図である。
【符号の説明】
【００２３】
１…秤  １０…本体  １０Ａ…本体側面  １１…表示器  １２…突出部  １３…操作部  １４…皿受け支持台  １５…支持脚  １６…本体ケース  １７…ロードセル  １８…固定用治具  ２０…計量皿  ２０Ａ…平板状部分  ２０Ｂ…延設部分  ２０Ｃ…切り欠き  ２０Ｄ…切り欠きの最上部
【図１】
0005146112.tif 000002
【図２】
0005146112.tif 000003
【図３】
0005146112.tif 000004
【図４】
0005146112.tif 000005